(57)【要約】【課題】容器本体に対する密閉性確保が十分にできて、容器本体からの取り外しに際しても、自身に変形や破損を生じることなく容易に行え、さらにデザイン上でも優れたものとすることができる蓋体を提供すること。【解決手段】嵌合部１１の外周に形成されたフランジ部１１ａに、外側に突出した複数の凸部１２が周方向に連続形成されていること。【選択図】図１
2015151150.tif 000002
【特許請求の範囲】
【請求項１】
容器本体の被嵌合部に、嵌合部にて内嵌合される蓋体であって、
前記嵌合部の外周に形成されたフランジ部に、外側に突出した複数の凸部が周方向に連続形成されていることを特徴とする蓋体。
【請求項２】
前記各凸部を、前記フランジ部に対して、外側上方に膨出したものとしたことを特徴とする請求項１に記載の蓋体。
【請求項３】
前記各凸部の端縁を、上方に凸となるように湾曲させたことを特徴とする請求項１または請求項２に記載の蓋体。
【請求項４】
前記嵌合部の平面視形状が多角形である場合に、前記各凸部の中心が前記多角形の各角部に位置するようにしたことを特徴とする請求項１〜請求項３のいずれかに記載の蓋体。
【請求項５】
天板部を立ち上げ壁によって持ち上げるとともに、この立ち上げ壁に縦リブを多数形成したことを特徴とする請求項１〜請求項４のいずれかに記載の蓋体。
【発明の詳細な説明】
【技術分野】
【０００１】
本発明は、嵌合容器を構成する容器本体に嵌合されて、容器本体内の密閉性を確保し得るようにした蓋体に関するものである。
【背景技術】
【０００２】
嵌合容器は、容器本体内の保湿性を確保したり、中身の液汁が外に漏れ出ないようにするため、容器本体と、これに嵌合される蓋体とからなっている。従って、容器本体内から中身を取り出すためには、当然に、蓋体の容器本体に対する嵌合を解く、つまり、蓋体を外さなければならない。
【０００３】
この蓋体の容器本体からの取り外しを容易にするために、例えば特許文献１や特許文献２にて提案されているように、一般的には蓋体側に「つまみ」を設けておき、この「つまみ」を引き上げること等によって蓋体の取り外しが容易に行えるようにしてある。
【先行技術文献】
【特許文献】
【０００４】
【特許文献１】特開２０１３−１８５２５号公報
【特許文献２】特開２０１２−９１８３２号公報
【発明の概要】
【発明が解決しようとする課題】
【０００５】
特許文献１の容器では、その要約にも記載されているように、「蓋縁部の蓋鍔部に外側に向けて上側に反りあがった板状体である押下操作部が突設され、内嵌合溝部が開口縁部の内側に嵌合して容器本体に蓋体が合着した状態において、押下操作部を押し下げることによって押下操作部が開口縁部の容器鍔部の上端部に当接してこれが押し下げ、容器本体と蓋体との合着を解除する」ものである。このため、もし、「蓋縁部の蓋鍔部に外側に向けて上側に反りあがった板状体である押下操作部」が破損したり、この「押下操作部」が「容器鍔部の上端部」に当接してこれを押し潰してしまうと、本来の機能が果たせなくなるものと思われる。
【０００６】
同様なことが、特許文献２の「容器」の「平面視において嵌合部から外側へはみ出しかつ外方へ向かって膨らむ単一の屈曲可能な膨出部」についても言える。特に、この「膨出部」は単一のものであるから、これが破損してしまうと蓋体の取り外しが困難になる。
【０００７】
そして、上記特許文献１の「押下操作部」も、特許文献２の「膨出部」も、一般的な「つまみ」と同様、機能だけを追究したものであって、デザイン上の美観や面白みを有するものではないと言える。
【０００８】
そこで、本発明者等は、容器本体に対する密閉性の確保が十分行えることは勿論、この容器本体からの取り外しが容易に行え、さらにはデザイン上でも優れた蓋体とするにはどうしたらよいか、について種々検討を重ねてきた結果、本発明を完成したのである。
【０００９】
すなわち、本発明の目的とするところは、容器本体に対する密閉性確保が十分にできて、容器本体からの取り外しに際しても、自身に変形や破損を生じることなく容易に行え、さらにデザイン上でも優れたものとすることができる蓋体を提供することにある。
【課題を解決するための手段】
【００１０】
以上の課題を解決するために、まず、請求項１に係る発明の採った手段は、後述する最良形態の説明中で使用する符号を付して説明すると、
「容器本体２０の被嵌合部２１に、嵌合部１１にて内嵌合される蓋体１０であって、
嵌合部１１の外周に形成されたフランジ部１１ａに、外側に突出した複数の凸部１２が周方向に連続形成されていることを特徴とする蓋体１０」
である。
【００１１】
本発明に係る蓋体１０は、合成樹脂シートの所謂「シート成形」によって製造されるものであり、図７の（ａ）または（ｂ）に示すように、その嵌合部１１を容器本体２０側の被嵌合部２１に「内嵌合」して、当該容器本体２０内の密閉を行うものである。勿論、この蓋体１０に対しては、図７に示す「内嵌合」に代えて、「外嵌合」ができるようにもなされるものである。
【００１２】
この請求項１に係る蓋体１０では、図１または図４の各（ａ）に示すように、嵌合部１１の外周に形成されたフランジ部１１ａに、周方向に互いに連続する状態で凸部１２が複数形成されている。各凸部１２が「周方向に互いに連続する状態」とは、フランジ部１１ａの端縁及びその近傍において各凸部１２が全周に連なっていることを言い、一つの凸部１２を摘んでこれを引き上げる際には、その力は周囲の凸部１２及びこれに連なっているフランジ部１１ａに伝達あるいは分散されるようにしてあることを意味する。
【００１３】
これら各凸部１２は、互いに連続するという条件を満たせば、図１の（ａ）に示すような独立しているようなイメージのものであっても、図４の（ａ）に示すような互いに重なり合っているようなイメージのものであってもよく、また、それぞれの大きさが異なっていてもよいものである。勿論、これら各凸部１２の数や大きさは、図１または図４の各（ａ）に示すようなものには限定されない。
【００１４】
これら各凸部１２は、図７の（ａ）または（ｂ）にも示すように、嵌合部１１の外周に形成されたフランジ部１１ａの外側に突出した複数のものが、周方向に連続形成されている文字通りの「凸部」であるから、当該蓋体１０の嵌合部１１を容器本体２０の被嵌合部２１に嵌合したとき、容器本体２０側の被嵌合部２１から外側に突出することになるものであり、指で摘み易くなっているものである。
【００１５】
以上のような凸部１２を複数有した蓋体１０を容器本体２０から取り外すには、いずれか少なくとも１個の凸部１２を「つまみ」として指で摘み、これを引き上げればよい。このとき、上述したように、各凸部１２については、指で摘み易くなっているものであるから、当該凸部１２のつまみ操作及び蓋体１０の取り外し操作を容易に行えるのである。
【００１６】
また、各凸部１２は互いに連続するものであるから、仮に１個の凸部１２を摘んで引き上げたときでも、その引き上げ力は隣接する他の凸部１２にも伝えられて分散し、単独で突出している従来の「つまみ」のように、破損したりすることはない。
【００１７】
そして、これら各凸部１２を、実施形態を説明する図１または図４の各（ａ）に示すように、「花びら型」に形成すると、当該蓋体１０を平面視したときにこれら連続した凸部１２によって「咲いた花」のようなイメージを醸し出すことができる。また、このような凸部１２を有する蓋体１０によって容器本体２０を密閉すると、容器本体２０内の「カット野菜」等の収納物を花で包み込んだようなイメージとするだけでなく、新鮮なイメージを与えることができて、当該密閉容器での商品の販売促進に繋がることになる。
【００１８】
従って、この請求項１に係る蓋体１０は、容器本体２０に対する密閉性確保が十分にできて、容器本体２０からの取り外しに際しても、自身に変形や破損を生じることなく容易に行え、さらにデザイン上でも優れたものとなっているのである。
【００１９】
上記課題を解決するために、請求項２に係る発明の採った手段は、上記請求項１に記載の蓋体１０について、
「各凸部１２を、フランジ部１１ａに対して、外側上方に膨出したものとしたこと」
である。
【００２０】
この請求項２の蓋体１０では、各凸部１２を、図２または図５の各（ａ）〜（ｄ）、及び図７に示すように、フランジ部１１ａに対して、積極的に、外側上方に膨出させたものである。こうすれば、各凸部１２の裏面は、フランジ部１１ａから大きく離れることになるから、当該凸部１２の裏面に対する指掛けが行い易くなるのである。
【００２１】
従って、この請求項２に係る蓋体１０は、請求項１のそれと同様な機能を発揮する他、開蓋時における、各凸部１２に対する指掛けが容易となっていて、容器本体２０からの取り外しがより容易なものとなっている。
【００２２】
また、上記課題を解決するために、請求項３に係る発明の採った手段は、上記請求項１または請求項２に記載の蓋体１０について、
「各凸部１２の端縁を、上方に凸となるように湾曲させたこと」
である。
【００２３】
この請求項３の蓋体１０では、図１または図４に示すように、各凸部１２について、その端縁が、上方に凸となるように湾曲させてある。そうすると、各凸部１２に当たる光の方向がどのようであっても、各凸部１２については個別に光輝く部分の存在が多くなり、各凸部１２の存在を個別に目立たせるだけでなく、蓋体１０全体として見ても数多くの部分でキラキラ輝くものとなるのである。
【００２４】
勿論、各凸部１２の端縁を上方に凸となるように湾曲させたことにより、各凸部１２の裏面に外側から指を挿入し易い空間が形成されることにもなるから、当該凸部１２の裏面に対する指掛けも行い易くなるのである。
【００２５】
従って、この請求項３に係る蓋体１０は、請求項１または２のそれと同様な機能を発揮する他、各凸部１２が個別に輝いて美しいものになるだけでなく、開蓋時における容器本体２０からの取り外しも容易となっている。
【００２６】
そして、上記課題を解決するために、請求項４に係る発明の採った手段は、上記請求項１〜請求項３のいずれかに記載の蓋体１０について、
「嵌合部１１の平面視形状が多角形である場合に、各凸部１２の中心が前記多角形の各角部に位置するようにしたこと」
である。
【００２７】
平面視形状が多角形である蓋体１０において、その嵌合部１１の各角部における剛性は高いものとなっている。そこで、この各角部に各凸部１２の中心が位置するようにすれば、当該凸部１２の剛性についても高いものとなる。
【００２８】
各凸部１２は、当該蓋体１０を容器本体２０から取り外す際に指が掛けられる部分ともなるのであったが、嵌合部１１の平面視形状が多角形であれば、特にその角部に位置する凸部１２が「つまみ」として使用され易い。しかも、この角部の凸部１２は、上述したように剛性が高いから、潰れにくく、破損しにくいものなのである。
【００２９】
従って、この請求項４に係る蓋体１０は、上記請求項１〜３のそれと同様な機能を発揮する他、容器本体２０から取り外す際に、凸部１２が潰れたり破損したりすることがより少なくなっているのである
【００３０】
さらに、上記課題を解決するために、請求項５に係る発明の採った手段は、上記請求項１〜請求項４のいずれかに記載の蓋体１０について、
「天板部１３を立ち上げ壁１４によって持ち上げるとともに、この立ち上げ壁１４に縦リブ１５を多数形成したこと」
である。
【００３１】
この請求項５の蓋体１０は、まず、天板部１３を立ち上げ壁１４によって持ち上げることによって、図１及び図４の各（ｂ）と（ｃ）、そして図７に示すように、当該蓋体１０による内容積を増大させている。また、この請求項５の蓋体１０では、図４及び図５に示すように、上記立ち上げ壁１４に縦リブ１５を多数形成することによって、立ち上げ壁１４の剛性を確保しており、天板部１３上への他の嵌合容器の積み上げを十分可能にしている。
【００３２】
また、この請求項５の蓋体１０では、上記立ち上げ壁１４に縦リブ１５を多数形成することによって、図４の（ａ）に示すように、上記複数の各凸部１２とも関連して、蓋体１０全体の平面視形状を豪華なものとしている。特に、各凸部１２が花びら型であれば、この縦リブ１５が「花のおしべやめしべ」のイメージを醸しだし、当該蓋体１０の平面視形状を美しいものとするのである。
【００３３】
従って、この請求項５に係る蓋体１０は、上記請求項１〜４のそれと同様な機構を発揮する他、当該蓋体１０の上への他の嵌合容器の積み上げを可能にするだけでなく、平面視形状がより豪華なものになっているのである。
【発明の効果】
【００３４】
以上説明した通り、本発明においては、
「容器本体２０の被嵌合部２１に、嵌合部１１にて内嵌合される蓋体１０であって、
嵌合部１１の外周に形成されたフランジ部１１ａに、外側に突出した複数の凸部１２が周方向に連続形成されていること」
にその構成上の主たる特徴があり、これにより、容器本体２０に対する密閉性確保が十分にできて、容器本体２０からの取り外しに際しても、自身に変形や破損を生じることなく容易に行え、さらにデザイン上でも優れたものとすることができる蓋体１０を提供することができるのである。
【図面の簡単な説明】
【００３５】
【図１】本発明に係る蓋体１０の第１実施例を示すもので、（ａ）は平面図、（ｂ）は（ａ）中の１−１線に沿って見た縦断面図、（ｃ）は（ａ）中の２−２線に沿って見た縦断面図である。
【図２】同第１実施例に係る蓋体１０の側面形状を示すもので、（ａ）は正面図、（ｂ）は背面図、（ｃ）は右側面図、（ｄ）は左側面図である。
【図３】同第１実施例に係る蓋体１０を示すもので、（ａ）は底面図、（ｂ）は図２の（ａ）中の３−３線に沿って見た横断面図である。
【図４】本発明に係る蓋体１０の第２実施例を示すもので、（ａ）は平面図、（ｂ）は（ａ）中の４−４線に沿って見た縦断面図、（ｃ）は（ａ）中の５−５線に沿って見た縦断面図である。
【図５】同第２実施例に係る蓋体１０の側面形状を示すもので、（ａ）は正面図、（ｂ）は背面図、（ｃ）は右側面図、（ｄ）は左側面図である。
【図６】同第２実施例に係る蓋体１０を示すもので、（ａ）は底面図、（ｂ）は図５の（ａ）中の６−６線に沿って見た横断面図である。
【図７】本発明に係る蓋体１０を中皿２０を介して容器本体２０に嵌合した状態を示すもので、（ａ）は容器本体２０が浅型である場合の縦断面図、（ｂ）は容器本体２０が深型である場合の縦断面図である。
【図８】容器本体２０に嵌合した同蓋体１０上に、他の容器本体２０を積み上げた様子を示すもので、（ａ）は容器本体２０が深型である場合の部分縦断面図、（ｂ）は容器本体２０が浅型である場合の部分縦断面図である。
【図９】蓋体１０が嵌合される容器本体２０の一例を示すもので、（ａ）は平面図、（ｂ）は側面図、（ｃ）は平面図である。
【図１０】蓋体１０が嵌合される容器本体２０の他の例を示すもので、（ａ）は平面図、（ｂ）は側面図、（ｃ）は平面図である。
【図１１】本発明に係る蓋体１０が容器本体２０に嵌合されるに際して使用されることがある中皿２０を示すもので、（ａ）は平面図、（ｂ）は正面図、（ｃ）は背面図である。
【図１２】同中皿２０を示すもので、（ａ）は右側面図、（ｂ）は左側面図、（ｃ）は縦断面図である。
【発明を実施するための形態】
【００３６】
次に、以上のように構成した各請求項に係る発明を、図面に示した実施の形態である蓋体１０について説明するが、この実施形態に係る蓋体１０は、第１実施例と第２実施例に係るものがあり、上記各請求項に係る発明を全て含むものである。
【００３７】
また、本発明に係る蓋体１０は、合成樹脂シートをシート成形することにより一体成形されるものであり、別途成形される容器本体２０の被嵌合部２１に内嵌合される嵌合部１１を有したものである。この嵌合部１１の外周には、図７に示したように、後述する各凸部１２が連続形成されることになるフランジ部１１ａが一体成形してある。なお、この嵌合部１１内には、図１の（ａ）等に示したように、ブロッキング防止突起１１ｂが形成されることがあるが、このブロッキング防止突起１１ｂは、複数の蓋体１０を積み重ねる際に、各蓋体１０同士が嵌合部１１にて嵌り合ってしまうのを防止するものである。
【００３８】
嵌合部１１の外周に形成されたフランジ部１１ａには、その外側に突出した状態で、複数の凸部１２が周方向に連続形成してある。各凸部１２は、図１及び図４の各（ａ）に示したように、嵌合部１１の外周から大きく飛び出したように形成したものであり、かつ、これら各凸部１２は互いに連続した状態で形成したものである。
【００３９】
これら各凸部１２は、図７に示したように、フランジ部１１ａに対して、外側上方に膨出したものとすることがある。この場合には、各凸部１２の裏面は、フランジ部１１ａから大きく離れることになるから、当該凸部１２の裏面に対する指掛けが行い易くなる。
【００４０】
また、これら各凸部１２は、その端縁を、図１または図４の（ｂ）及び（ｃ）に示したように、上方に凸となるように湾曲させることがある。この場合には、各凸部１２に当たる光の方向がどのようであっても、各凸部１２については個別に光輝く部分の存在が多くなり、各凸部１２の存在を個別に目立たせるだけでなく、蓋体１０全体として見ても数多くの部分でキラキラ輝くものとすることができる。また、この場合には、各凸部１２の裏面に外側から指を挿入し易い空間を形成することにもなる。
【００４１】
そして、嵌合部１１の内側周縁には、天板部１３を持ち上げるための立ち上げ壁１４が一体的に形成してあり、この立ち上げ壁１４の上端は天板部１３の外周に連なっている。この立ち上げ壁１４は、天板部１３を持ち上げるようにして当該蓋体１０の内容積を増大させるものであり、容器本体２０内に収納される収納物を当該蓋体１０内まで収納可能にしたり、図１１及び図１２に示した中皿２０を採用する場合には、この中皿２０上にドレッシング等の調味料や、小さなスプーン等が収納できるようにするものである。
【００４２】
（第１実施例）
さて、図１〜図３には、本発明の第１実施例に係る蓋体１０が示してあるが、この蓋体１０では、上述してきたことを前提としながら、各凸部１２について、これを均等に連続する「花びら型」としたものである。勿論、各凸部１２の「花びら型」については、図１の（ａ）に例示したものに限るものではなく、種々なものに変更できることは言うまでもない。
【００４３】
各凸部１２が、図１の（ａ）に示したような花びら型であれば、当該蓋体１０を平面視したときに、全体として花が咲いているような雰囲気を醸し出すことになり、当該蓋体１０を使用した嵌合容器全体の豪華さを演出することができることになる。その結果、当該蓋体１０が嵌合されることになる容器本体２０内の、例えばカット野菜のような収納物を豪華に見せることができて、この蓋体１０を使用した商品の販売促進に役立てることができる。
【００４４】
（第２実施例）
一方、図４〜図６には、本発明の第２実施例に係る蓋体１０が示してあるが、この蓋体１０では、上述してきたことを前提としながら、各凸部１２について、これを互いに重なり合うように連続する「花びら型」としたものであるため、仮に１個の凸部１２を摘んで引き上げたときでも、その引き上げ力は周囲の凸部１２及びこれに連なっているフランジ部１１ａに伝達あるいは分散される。勿論、各凸部１２の「花びら型」についても、図４の（ａ）に例示したものに限るものではなく、種々なものに変更できることは言うまでもない。
【００４５】
各凸部１２の端部は、図５の（ａ）〜（ｄ）に示したように、上方に凸になるように湾曲させると、その端部の全周は波型に連続して、所謂「立体カット」されることになる。これにより、各凸部１２と容器本体２０との間に指を掛ける空間が形成され、当該蓋体１０を容器本体２０から取り外す際に、非常に有効なものとなる。勿論、これらの凸部１２は、上記第１実施例の場合と同様に、当該蓋体１０の平面視形状に豪華さを与えることができる。
【００４６】
また、この第２実施例に係る蓋体１０では、図４及び図５、そして図７にも示したように、天板部１３を持ち上げる立ち上げ壁１４に縦リブ１５を多数形成したものであるが、縦リブ１５の形成によって立ち上げ壁１４の剛性を確保していて、図８に示したように、天板部１３上への他の嵌合容器の積み上げを十分可能にしている。
【００４７】
また、この第２実施例の蓋体１０では、上記立ち上げ壁１４に縦リブ１５を多数形成することによって、図４の（ａ）に示したように、上記複数の各凸部１２とも関連して、蓋体１０全体の平面視形状を豪華なものとしている。特に、各凸部１２が花びら型であるから、この縦リブ１５が「花のおしべやめしべ」のイメージを醸し出し、当該蓋体１０の平面視形状を美しいものとするのである。
【符号の説明】
【００４８】
１０    蓋体
１１    嵌合部
１１ａ  フランジ部
１１ｂ  ブロッキング防止突起
１２    凸部
１３    天板部
１４    立ち上げ壁
１５    縦リブ
２０    容器本体
２１    被嵌合部
３０    中皿
【図１】
2015151150.tif 000003
【図２】
2015151150.tif 000004
【図３】
2015151150.tif 000005
【図４】
2015151150.tif 000006
【図５】
2015151150.tif 000007
【図６】
2015151150.tif 000008
【図７】
2015151150.tif 000009
【図８】
2015151150.tif 000010
【図９】
2015151150.tif 000011
【図１０】
2015151150.tif 000012
【図１１】
2015151150.tif 000013
【図１２】
2015151150.tif 000014